(57)【要約】【課題】ソレノイドを駆動源として開閉する一対の羽根を備えた可変入賞装置において、羽根よりも奥部にあることによって不正行為に曝されにくい位置にあるソレノイド側にロック部材を設けて羽根の不正開放を防止することを可能とした。【解決手段】入賞口を開閉する開閉片３０と、開閉片を開閉動作させる開閉機構３１と、開閉機構を作動させるソレノイド式駆動機構４０と、ソレノイド式駆動機構をロックするロック機構６０と、を備え、ロック機構は、作動アーム４６によりその揺動方向と同方向に回動自在に支持されてコイル４２が非励磁状態にある時にロックして作動アームの揺動を禁止し、励磁状態にある時に作動アームの揺動禁止を解除するロック部材６１と、を備えている。【選択図】図２
2011087860.tif 000002
【特許請求の範囲】
【請求項１】
入賞口を開閉する開閉片と、該開閉片を開閉動作させる開閉機構と、該開閉機構を作動させるソレノイド式駆動機構と、該ソレノイド式駆動機構をロックするロック機構と、を備えた可変入賞装置であって、
前記ソレノイド式駆動機構は、コイル、及び該コイルの非励磁時に弾性部材によって前方へ突出する一方で前記コイルの励磁時に退避するプランジャを備えたソレノイドと、該ソレノイドを支持するベース部材と、後部を前記ベース部材により軸支されることにより先端部を揺動させて前記開閉機構を作動させる作動アームと、前記プランジャの出没動作に連動して前記作動アームを揺動させるように該プランジャと該作動アームを連結する連結部と、を備え、
前記ロック機構は、前記作動アームによって回動自在に支持されて前記コイルが非励磁状態にある時に前記作動アームをロックして揺動を禁止し、該コイルが励磁状態にある時に該作動アームの揺動禁止を解除するロック部材と、を備えていることを特徴とする可変入賞装置。
【請求項２】
前記ロック部材は、少なくとも一部に磁性体部を備え、前記コイルの励磁時に該磁性体部が該コイルの磁気により吸引されて前記作動アームの揺動を禁止した状態にある該ロック部材をロック解除方向へ回動させることを特徴とする請求項１に記載の可変入賞装置。
【請求項３】
前記ベース部材には、前記コイルの非励磁時に前記開閉片が開放方向に付勢された場合に前記ロック部材の一部と当接して該ロック部材の回動を禁止して前記作動アームの開放方向への揺動を禁止する係止部が設けられていることを特徴とする請求項１又は２に記載の可変入賞装置。
【請求項４】
前記ロック部材には、前記コイルの非励磁時に前記ロック部材の一部と前記係止部との間にクリアランスが設けられている場合に、突出状態にある前記プランジャと当接して前記クリアランスを維持するストッパ片が設けられていることを特徴とする請求項１乃至３の何れか一項に記載の可変入賞装置。
【請求項５】
前記作動アームは、前記プランジャの出没方向と直交する方向へ延びる軸支部を後部に備えると共に該軸支部を前記ベース部材によって軸支されることにより先端部を上下方向へ揺動させて前記開閉機構を作動させることを特徴とする請求項１乃至４の何れか一項に記載の可変入賞装置。
【請求項６】
前記ロック部材は、前記軸支部と並行な前記作動アームの横軸により、前記作動アームの揺動方向と略同方向に回動自在に支持されていることを特徴とする請求項５に記載の可変入賞装置。
【請求項７】
前記磁性体部を永久磁石としたことを特徴とする請求項１乃至６の何れか一項に記載の可変入賞装置。
【請求項８】
前記可変入賞装置を備えたことを特徴とするパチンコ遊技機。
【発明の詳細な説明】
【技術分野】
【０００１】
本発明は、特定の条件を満たしたときに動作する電動チューリップ、その他、入賞口を開閉する機構が不正に開放される不具合を解消することができる可変入賞装置、及びパチンコ遊技機に関するものである。
【背景技術】
【０００２】
電動チューリップを備えたパチンコ遊技機が従来から知られている。電動チューリップは、ソレノイドを駆動源として回動される一対の羽根（可動片）から成り、所定の始動入賞口に遊技球が入賞したときにソレノイドを作動させて一対の羽根を一回、或いは２回程度開閉動作させて、遊技盤面を流下する遊技球を捕捉して可変入賞装置内に導くように構成されている。
パチンコ遊技機は、矩形形状の枠を有し、この枠の窓孔に対して遊技盤が着脱可能に取り付けられている。遊技盤面には、上記の可変入賞装置が装備されている。また、遊技盤の前面側には、ガラス枠が開閉可能に取り付けられている。
ところで、従来からガラス枠と遊技盤との間に形成される隙間から針金等を差し込んで可変入賞装置の羽根を強制的に開放させて出玉を得ようとする不正行為が行われている。
このような不正行為を阻止するための対策として、特許文献１には、ソレノイドのプランジャが突出しているときに羽根を閉止位置に保持する一方で、プランジャが引っ込んだ時に羽根を開放させるタイプの可変入賞装置において、プランジャが突出している状態において羽根を閉止状態にロックする一方で、プランジャが引っ込んだ状態においてはロックを解除して羽根を開放可能にするロック機構を設けることにより、羽根の不正開放を防止する技術が開示されている。
しかし、このロック機構は、羽根の直近位置に設けられているため、ガラス枠と遊技盤との間の隙間から挿入した針金等を遊技盤面に沿って移動させてロック機構に到達させてロックを解除することが比較的容易であった。
【先行技術文献】
【特許文献】
【０００３】
【特許文献１】特開２００８−２７２１２１公報
【発明の概要】
【発明が解決しようとする課題】
【０００４】
以上のように開閉動作する一対の羽根を備えた従来の可変入賞装置にあっては、羽根を不正に開放させる行為を防止するためのロック機構が羽根の近傍、即ち遊技盤の表面側に設けられていたため、遊技機外周の隙間から遊技盤面に沿って挿入された針金等によってロック手段を解除することが比較的容易であった。
本発明は上記に鑑みてなされたものであり、ソレノイドを駆動源として開閉動作する開閉片を備えた可変入賞装置において、開閉片よりも奥部にあることによって不正行為に曝されにくい位置にあるソレノイド側にロック部材を設けて開閉片の不正開放を防止することを可能とした可変入賞装置、及びパチンコ遊技機を提供することを目的としている。
【課題を解決するための手段】
【０００５】
上記目的を達成するため、請求項１の発明に係る可変入賞装置は、入賞口を開閉する開閉片と、該開閉片を開閉動作させる開閉機構と、該開閉機構を作動させるソレノイド式駆動機構と、該ソレノイド式駆動機構をロックするロック機構と、を備えた可変入賞装置であって、前記ソレノイド式駆動機構は、コイル、及び該コイルの非励磁時に弾性部材によって前方へ突出する一方で前記コイルの励磁時に退避するプランジャを備えたソレノイドと、該ソレノイドを支持するベース部材と、後部を前記ベース部材により軸支されることにより先端部を揺動させて前記開閉機構を作動させる作動アームと、前記プランジャの出没動作に連動して前記作動アームを揺動させるように該プランジャと該作動アームを連結する連結部と、を備え、前記ロック機構は、前記作動アームによって回動自在に支持されて前記コイルが非励磁状態にある時に前記作動アームをロックして揺動を禁止し、該コイルが励磁状態にある時に該作動アームの揺動禁止を解除するロック部材と、を備えていることを特徴とする。
ソレノイドを駆動源として開閉動作する開閉片を備えた可変入賞装置において、ソレノイドのオンオフによって作動して作動アームをロックしたりロック解除するロック部材を用いて開閉片の不正開放を阻止する。また、このロック部材は、羽根よりも奥部にあることによって不正行為に曝されにくい位置にあるソレノイド側に設けられるので、開閉片の不正開放を効果的に防止することができる。
【０００６】
請求項２の発明に係る可変入賞装置は、前記ロック部材は、少なくとも一部に磁性体部を備え、前記コイルの励磁時に該磁性体部が該コイルの磁気により吸引されて前記作動アームの揺動を禁止した状態にある該ロック部材をロック解除方向へ回動させることを特徴とする。
ソレノイドの通電時にロック部材が吸引されてロック解除位置に移動するので、シンプルな構成により、不正防止のためのロック構造を実現できる。
請求項３の発明に係る可変入賞装置は、前記ベース部材には、前記コイルの非励磁時に前記開閉片が開放方向に付勢された場合に前記ロック部材の一部と当接して該ロック部材の回動を禁止して前記作動アームの開放方向への揺動を禁止する係止部が設けられていることを特徴とする。
ソレノイドの非通電時にロック部材がロック位置にある時にこのロック部材の一部を係止する係止部をベース部材に設けたことにより、シンプルな構成により、不正防止のための構造を提供することが可能となった。
【０００７】
請求項４の発明に係る可変入賞装置は、前記ロック部材には、前記コイルの非励磁時に前記ロック部材の一部と前記係止部との間にクリアランスが設けられている場合に、突出状態にある前記プランジャと当接して前記クリアランスを維持するストッパ片が設けられていることを特徴とする。
コイルの非励磁時にロック部材の一部と係止部との間に予めクリアランスを設けることにより、コイルの励磁時に磁性体部がスムーズにロック解除方向へ移動するように構成できる。但し、この場合にロック部材がフリーに回転して係止部から離脱してしまうと、コイルを励磁しても磁性体部が吸引されなくなる虞がある。そこで、ロック部材に設けたストッパ片を突出状態にあるプランジャに当接させることにより、ロック部材が係止部から離脱する方向へ回転することを阻止するものである。
請求項５の発明に係る可変入賞装置は、前記作動アームは、前記プランジャの出没方向と直交する方向へ延びる軸支部を後部に備えると共に該軸支部を前記ベース部材によって軸支されることにより先端部を上下方向へ揺動させて前記開閉機構を作動させることを特徴とする。
請求項６の発明に係る可変入賞装置は、前記ロック部材は、前記軸支部と並行な前記作動アームの横軸により、前記作動アームの揺動方向と同方向に回動自在に支持されていることを特徴とする。
請求項７の発明に係る可変入賞装置は、前記磁性体部を永久磁石としたことを特徴とする。
請求項８の発明に係るパチンコ遊技機は、前記可変入賞装置を備えたことを特徴とする。
【発明の効果】
【０００８】
本発明に係る可変入賞装置では、ソレノイドを駆動源として開閉動作する一対の羽根等の開閉片を備えた可変入賞装置において、ソレノイドのオンオフによって作動するロック部材を用いて開閉片の不正開放を阻止するようにした。即ち、開閉片よりも奥部にあることによって不正行為に曝されにくい位置にあるソレノイド側にロック部材を設けて羽根の不正開放を防止することができる。
【図面の簡単な説明】
【０００９】
【図１】本発明の一実施形態に係るパチンコ遊技機の正面図である。
【図２】本発明の一実施形態に係る可変入賞装置の外観構成を示す斜視図である。
【図３】可変入賞装置の分解斜視図である。
【図４】（ａ）及び（ｂ）は作動アームとロック部材の分離状態及び組付け状態を示す斜視図、及びソレノイドと作動アームの分離状態及び組付け状態を示す斜視図である。
【図５】（ａ）（ａ）’（ｂ）及び（ｃ）はロック部材によりプランジャをロックした状態、ロックを解除した直後の状態、プランジャが可動となった状態を夫々示した断面図である。
【図６】（ａ）（ｂ）及び（ｃ）は夫々図５（ａ）（ｂ）及び（ｃ）に対応した下面図である。
【図７】ロック部材の一部が係止部により係止されていることによりプランジャをロックしている状態を示す下面側斜視図である。
【図８】（ａ）及び（ｂ）はロック部材がプランジャをロックしている状態を示す下面側斜視図、及びロックを解除した状態を示す下面側斜視図である。
【図９】（ａ）及び（ｂ）はロック部材がプランジャをロックしている状態を示す正面側斜視図、及びロックを解除した状態を示す正面側斜視図である。
【図１０】（ａ）及び（ｂ）はロック部材がプランジャをロックしている状態とロックを解除している状態を示す正面図である。
【発明を実施するための形態】
【００１０】
以下、本発明を図面に示した実施の形態により詳細に説明する。
図１は本発明の一実施形態に係るパチンコ遊技機の正面図である。
パチンコ遊技機Ａは、矩形形状の枠１を有し、この枠１の窓孔に対して遊技盤３が着脱可能に取り付けられている。
遊技盤３の前面側には、ガラス枠２が開閉可能に取り付けられている。またガラス枠の下部には、遊技球を貯留する受け皿部４と、この受け皿部４内の遊技球を発射する発射レバー５等が設けられている。
受け皿部４の上面には、例えば遊技者自身に操作を行わせて遊技に対する参加感を演出する演出ボタン６が設けられている。また、図示しないが受け皿部４の上面には、遊技球の購入ボタン、購入取り消しボタン、受け皿部４内の遊技球を下方から外部に抜くための球抜きボタン等が設けられている。
遊技盤３の表面側には、液晶表示器としての画像表示装置１１が配置され、遊技盤の裏面側には主制御基板とサブ制御基板等、遊技の進行、演出に関わる裏部品を組み付けた合成樹脂製の機構板（何れも図示せず）が装着されている。遊技盤３における遊技領域３ａの周囲には、外レールＲ１及び内レールＲ２が設けられている。これら外レールＲ１及び内レールＲ２は、発射レバー５を操作したときに発射装置から発射された遊技球を遊技領域３ａの上部に案内したり、アウト口１８に案内する。
【００１１】
画像表示装置１１は、例えば、液晶表示装置等の液晶表示パネルにより構成され、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示装置１１の下方には、特定の条件を満たしたときに動作する可変入賞装置（電動式チューリップユニット）１２が配置されている。可変入賞装置１２に遊技球が入賞してから一定条件が整うことにより、遊技者にとって有利な特別遊技状態（以下、大当たり、と称する）が発生する。可変入賞装置１２は、上始動口１３と、左右一対の開閉片を有する電動式チューリップ（以下、「電チュー」と称する）１４とを備えて構成される。上始動口１３の内部には、特別図柄表示器２１の特別図柄を変動表示する権利を発生させる第１始動口スイッチ（ＳＷ）が設けられている。また電チュー１４の内部には、特別図柄表示器２２の特別図柄を変動表示する権利を発生させる第２始動口スイッチ（ＳＷ）が設けられている。なお、本実施形態では、上始動口１３と電チュー１４とにそれぞれ別々の始動口スイッチを設けるようにしているが、これはあくまでも一例であり始動口スイッチは共有してもよい。
【００１２】
また画像表示装置１１の左側には、後述する普通図柄表示器２３を作動させるためのゲート１５が設けられている。ゲート１５は、その内部にゲートスイッチ（ＳＷ）が設けられており、遊技球がゲートＳＷを通過したときに、普通図柄表示器２３の普通図柄が所定時間作動して停止するようになっている。普通図柄表示器２３の普通図柄が所定態様で停止した場合は、電チュー１４が所定時間、開成動作するように構成されている。
可変入賞装置１２の下方には、大当たりのときに開成状態になる大入賞装置の大入賞装置（可変入賞装置）１６が設けられている。
なお、本明細書において可変入賞装置とは、電動式チューリップユニット１２と、大入賞装置１６を含む概念である。
さらに遊技盤３の遊技領域３ａには、普通入賞口１７が設けられていると共に、風車や図示しない多数の遊技釘が突設されている。遊技釘は、遊技球の落下速度を遅くすると共に、落下方向を複雑に変化させて遊技進行上の興趣を高めている。
【００１３】
遊技盤３の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。第１特別図柄表示器２１及び第２特別図柄表示器２２は、特別図柄を変動表示させ所定時間経過後に当該変動表示を静止させることにより大当たりに当選したか否か表示する。
第１特別図柄保留ランプ２４は、第１特別図柄の変動表示を開始させる権利（保留球）の保留個数を表示する。第２特別図柄保留ランプ２５は、第２特別図柄の変動表示を開始させる権利の保留個数を表示する。なお、本実施形態では、第１特別図柄の保留球と、第２特別図柄の保留球が保留されている場合は、第２特別図柄の保留球を優先的に消化する場合を例に挙げて説明するが、保留球の入賞順に消化するように構成してもよい。
普通図柄保留ランプ２６は、普通図柄が変動中に遊技球がゲート１５を通過したときに、ゲート１５の通過によって得られる普通図柄の変動表示を開始させる権利（最大４個）の保留個数を表示する。なお、本実施形態では、第１、第２特別図柄表示器２１、２２、普通図柄表示器２３、第１、第２特別図柄保留ランプ２４、２５、及び普通図柄保留ランプ２６を、遊技盤３の遊技領域外に配置するようにしているが、これはあくまでも一例であり、これらの表示器を遊技盤３の遊技領域３ａ内に配置することも勿論可能である。
【００１４】
次に、図２は本発明の一実施形態に係る可変入賞装置の外観構成を示す斜視図であり、図３はこの可変入賞装置の分解斜視図であり、図４（ａ）及び（ｂ）は作動アームとロック部材の分離状態及び組付け状態を示す斜視図、及びソレノイドと作動アームの分離状態及び組付け状態を示す斜視図であり、図５（ａ）（ｂ）及び（ｃ）はロック部材によりプランジャをロックした状態、ロックを解除した直後の状態、プランジャが可動となった状態を夫々示した断面図であり、図６（ａ）（ｂ）及び（ｃ）は夫々図５（ａ）（ｂ）及び（ｃ）に対応した下面図であり、図７はロック部材の一部が係止部により係止されていることによりプランジャをロックしている状態を示す下面側斜視図であり、図８（ａ）及び（ｂ）はロック部材がプランジャをロックしている状態を示す下面側斜視図、及びロックを解除した状態を示す下面側斜視図であり、図９（ａ）及び（ｂ）はロック部材がプランジャをロックしている状態を示す正面側斜視図、及びロックを解除した状態を示す正面側斜視図であり、図１０（ａ）及び（ｂ）はロック部材がプランジャをロックしている状態とロック解除している状態を示す正面図である。
【００１５】
本発明に係る可変入賞装置１２は、盤面に形成された入賞口を開閉する手段であり、入賞口を開閉する電チュー１４を一例とする一対の開閉片（羽根）３０と、開閉片３０を開閉動作させる開閉機構３１と、開閉機構３１を作動させるソレノイド式駆動機構４０と、ソレノイド式駆動機構４０をロックするロック機構６０と、から概略構成されている。
可変入賞装置１２は、遊技盤３に形成された開口内に配置され、一対の開閉片３０を遊技盤面よりも前方に位置させると共に、ソレノイド式駆動機構４０を遊技盤の後方に位置させている。図２、図１０に示した取付け部材３５を遊技盤に固定することによって可変入賞装置１２は遊技盤３に固定される。
各開閉片（羽根）３０は、取付け部材３５の前部に設けた左右一対の軸穴３５ａによって夫々後面下部から突設した軸部３０ａを軸支されることにより矢印で示す左右方向に開閉自在に構成されており、各軸部３０ａの内側の開閉片背面にはソレノイド式駆動機構４０により上下動させられる突起状の被作動部材３０ｂが突設されている。軸穴３５ａ、軸部３０ａ、被作動部材３０ｂは、開閉片３０を開閉動作させる開閉機構３１を構成している。
【００１６】
ソレノイド式駆動機構４０は、図示しない電源部からの通電のオンオフによって励磁状態（通電状態）と非励磁状態（非通電状態）に切り替わるコイル４２、及びコイルの非励磁時に弾性部材（コイルバネ等）４３による付勢によって前方へ突出する一方でコイルの励磁時に後方へ退避するプランジャ４４を備えたプル型のソレノイド４１と、取付け部材３５に固定されてソレノイド４１を支持するベース部材４５と、後部をベース部材４５により軸支されることにより先端部を上下方向へ揺動（回動）させて開閉機構３１及び開閉片３０を作動させる一対の作動アーム４６と、プランジャ４４の出没動作に連動して作動アーム４６を揺動させるようにプランジャ４４と作動アーム４６を連結する連結部４７と、を備えている。なお、ベース部材４５は、取付け部材３５の一部を構成している。また、作動アーム４６を支持する手段としてのベース部材は、必ずしもソレノイドを支持するベース部材４５と一体である必要はなく、別部材であってもよい。
プル型のソレノイド４１は、周知のように固定鉄心に巻き付けたコイル４２に通電したときに可動鉄心としてのプランジャ４４を吸引して没入させ、非通電時に弾性部材４３によって突出方向へ戻すように構成されている。
【００１７】
各作動アーム４６は、プランジャ４４の出没方向（前後方向）と直交する方向（水平方向）へ延びる軸支部４６ａを後部に備えると共に軸支部４６ａをベース部材４５（或いは、取付け部材３５）に設けた支持部（支持穴）よって軸支されることにより先端部を上下方向へ揺動させて開閉機構３１を作動させるように構成されている。各作動アーム４６は、横軸４６ｃにより一体化されている。図４（ｂ）はソレノイド式駆動機構４０に、作動アームを組み付ける手順を示している。
各作動アーム４６の先端部には、先端が開口した略円形の凹所４６ｂを備えており、各凹所４６ｂの開口内に開閉片３０の後面から突設した被作動部材３０ｂが遊嵌しており、作動アーム４６の上下方向への揺動によって図１０に示すように被作動部材３０ｂが上下方向に移動し、軸部３０ａを中心として各開閉片３０を左右に開閉動作させるように構成されている。即ち、作動アーム４６の先端部が図１０（ａ）のように下降している時には被作動部材３０ｂが押し下げられるため開閉片３０は閉止状態となり、逆に図１０（ｂ）のように作動アーム先端部が上昇しているときには被作動部材３０ｂが押し上げられるため、各開閉片３０は開放状態となる。
【００１８】
この開閉機構３１は遊技盤面よりも前方に設置されるため、従来のようにこの部分に開閉片の不正開放を阻止するためのロック機構を設けた場合には、ガラス枠と遊技盤との間に隙間から針金等を差し入れることによりロック機構を解除することが可能であった。
連結部４７は、プランジャ４４の先端部に所定の間隔を隔てて中心部を固定された二枚の円板４７ａのギャップ間に、作動アーム４６の内側面の後部上部に突設した突部４６ｄを嵌合させた構成を備えており、プランジャ４４が突出した状態にあるときには円板４７ａが突部４６ｄを前方へ押圧して作動アーム４６の先端部を下降させる一方で、プランジャ４４が引っ込んだ状態にあるときには円板４７ａが突部４６ｄを後方へ引いて作動アーム４６の先端部を上昇させる。
【００１９】
次に、ロック機構６０は、作動アーム４６によってその揺動方向（上下方向）と略同方向に回動自在に支持されてコイル４２が非励磁状態にある時に作動アームをロックしてその揺動を禁止し、コイルが励磁状態になった時に作動アームの揺動禁止を解除するロック部材６１を備えている。本例では、ロック部材６１は、軸支部４６ａと並行な作動アームの横軸４６ｃにより上下方向へ回動自在に軸支されている。
ロック部材６１は、少なくとも一部に磁性体部６４を備え、コイル４２の励磁時に磁性体部６４がコイルの磁気により吸引されて、作動アーム４６の揺動を禁止した状態にあるロック部材をロック解除方向へ回動させるように構成されている。
本例に係るロック部材６１は、作動アームの軸支部４６ａ及び突部４６ｄと並行な横軸４６ｃにより、作動アームの揺動方向と同方向に回動自在に支持されている（図４（ａ））。横軸４６ｃは、軸支部４６ａと突部４６ｄとの間の略中間高さ位置であり、且つ軸支部４６ａ及び突部４６ｄよりも前方の作動アーム内壁間に固定されている。
ロック部材６１は、横軸４６ｃの外面に装着されて横軸４６ｃと相対的に回動する中空円筒状の基部６２と、基部６２の軸方向両端部から夫々同一外径方向へ突設された支持片６３と、各支持片６３の先端部によって両端部を支持された鋼材等の磁性体から成る磁性体ピン（磁性体部）６４と、基部６２の中心部から支持片６３とは異なった径方向へ突設された板状のストッパ片６５と、を備えている。支持片６３とストッパ片６５とのなす角度は、後述するようにロック部材６１の一部が係止部４５ａにより係止されて作動アーム４６の揺動（開閉片の開放方向への揺動）を阻止している時に、突出状態にあるプランジャ先端にストッパ片が当接してロック部材６１をロック位置に保持し得るように設定する。
【００２０】
磁性体ピン６４は、後述するようにベース部材４５側に設けた係止部４５ａにより係止された状態と、係止を解除された状態との間を変位（上下動）することにより、ロック部材６１が作動アームを下降位置にロックしたり、ロックを解除して上昇可能な状態にすることを可能とする。また、磁性体ピン６４は、ソレノイドを構成するコイル４２の励磁時にその磁力によって吸引されることにより、ロック部材による前記ロック状態を解除するように構成されている。なお、プランジャ４４は、磁性体から構成されているため、コイルからの磁力がプランジャ４４を介して磁性体ピンに作用する。
なお、ロック時に係止部４５ａが係止するのは、ロック部材６１の一部であればよく、磁性体ピン６４自体をロックしなくてもよい。
係止部４５ａは、ベース部材４５の下部適所から前方へ突設した先端が尖った突起部である。ロック部材６１は、図５（ａ）、図６（ａ）、図７、図８（ａ）、図９（ａ）のようにロック部材６１の一部（磁性体ピン６４）が係止部４５ａの先端に係合することにより作動アームの上方への揺動を阻止した状態と、図５（ｂ）（ｃ）、図６（ｂ）、（ｃ）、図８（ｂ）、図９（ｂ）のようにロック部材６１の一部（磁性体ピン６４）が係止部４５ａの先端から離脱して上方に移動することにより作動アームの上昇を許容した状態との間を変位することができる。
【００２１】
ロック部材６１は作動アームの横軸４６ｃによりフリーに支持されているため、図５（ａ）のようにコイルが非通電状態にあるために弾性部材４３によってプランジャ４４が突出している時には、支持片６３，磁性体ピン６４の重量によって磁性体ピンが下降する方向へ回動する。このため、磁性体ピン６４は係止部４５ａの先端部により係止されてそれ以上下方（時計回り方向）へ回動することができない。また、この時、ストッパ片６５が突出状態にあるプランジャ４４の先端面と当接しているため、磁性体ピン６４と係止部４５ａとの係止状態を安定して維持することができる。
なお、ソレノイドの非励磁時に、ロック部材６１の一部、本例では磁性体ピン６４が係止部４５ａと常時接触して係止されているとすれば（図５（ａ）の状態）、ソレノイドへの通電、励磁によって吸引力が生成された場合に磁性体ピンのスムーズな吸引が係止部４５ａによって妨げられることも想定される。そこで、図５（ａ）’に示すように意図的にソレノイドの非励磁時に磁性体ピン６４を係止部４５ａから離間させてクリアランスＣを形成するように設計するケースも考えられる。このように構成した場合に問題となるのは、ソレノイドの非励磁中に、磁性体ピン６４が係止部４５ａと接触していないことによりロック部材６１が図５（ａ）’の時計回り方向（後方）へフリー回転してしまうことである。ロック部材が時計回り方向へフリー回転すると、磁性体ピンが係止部を越えて下方へ抜けてしまう事態も想定される。この場合には、作動アーム４６を時計回り方向へ回動させる力が加わったとしても、係止部により磁性体ピンを係止できなくなる。
【００２２】
そこで、本発明では支持片６３との間に所定の角度を有して突設されたストッパ片６５を設けて、ストッパ片を突出状態にあるプランジャの先端面に当接させることにより、クリアランスＣを設けた場合におけるロック部材のフリー回転を防止している。このため、係止部４５ａとの間にクリアランスを維持したまま磁性体ピン６４を係止部先端と対向した最適の位置に維持することができ、作動アームが開放方向に付勢された場合には磁性体ピンがロック方向へ移動して直ちにクリアランスを埋めて係止部と接触して係止（ロック）された状態となる。
作動アーム４６が揺動する際の支点は軸支部４６ａである一方で、ロック部材６１の回動支軸は、軸支部４６ａよりも前方上方に設けられた横軸４６ｃである。このため、ロック部材６１が横軸４６ｃを中心として上下動する過程で、ロック部材の一部、本例では磁性体ピン６４が係止部４５ａの先端に係合したり、係合解除することにより、作動アーム４６の揺動に対するロック、ロック解除が実現可能となる。そして、ロック部材を解除動作させるために、磁性体ピンをソレノイド側からの電磁力により吸引するように構成している。
以上のように構成したため、針金等を用いて不正に開閉片３０を開放させる方向に力を加えることによって下降位置にある作動アーム４６を上昇させようとしても、磁性体ピン６４が係止部４５ａにより係止されることによりロック部材６１が作動アーム４６の上昇、及びプランジャ４４の引っ込み動作を阻止するため、開閉片３０を開放することができない。
【００２３】
一方、図５（ｂ）のようにコイル４２に通電してプランジャ４４を引っ込める場合には、高磁性体から成るプランジャ経由で伝達される磁力によって磁性体ピン６４がプランジャ側へ吸引されるため、ロック部材６１は横軸４６ｃを中心として反時計回り方向へ回動し、磁性体ピンが係止部４５ａから離脱する。磁性体ピン６４が係止部４５ａから離脱した後では、（ｃ）のようにプランジャ４４は弾性部材４３に抗して引っ込むことができる。
なお、磁性体ピン６４を電磁石により構成し、コイルの通電により発生した電磁力によって磁性体ピンの吸引力を高めるように構成してもよい。この場合には、コイルの非通電時には、磁性体ピンがプランジャ４４から容易に離脱するように磁性体ピンの磁力を適切に調整する。
【００２４】
以上の構成を有した可変入賞装置Ｂにおいては、開閉片３０を開閉動作させる開閉機構３１以外の部位、即ち遊技盤の背面側に位置するソレノイド式駆動機構４０側にロック機構６０を設けたことにより、ガラス枠と遊技盤との間の隙間から挿入される針金等の不正具によりロック機構６０のロック状態を解除することが困難となる。即ち、遊技盤の表面側からその裏側に針金等を差し入れることは困難なため、防犯効果を高めることが可能となる。具体的には、図５（ａ）等に示したように係止部４５ａにより係止されることによってロック状態にあるロック部材６１を、針金等によって強制的にロック解除方向へ回動させれば、作動アーム４６を開放方向へ揺動させることは可能となるが、遊技盤面側から裏側へ針金等を挿入することは困難であるため、不正行為を確実に防止することができる。
また、図１０（ａ）等に示すように閉止状態にある開閉片３０を不正に開放するために開閉片自体を開放させる力を直接加えたり、作動アーム４６を開放方向へ揺動させる力を加えたとしても、ソレノイドが非通電状態にある限り、ロック部材６１は磁性体ピン６４を下降させる方向へ回動して停止しているため、磁性体ピン６４は係止部４５ａに当たってロックされる。このため、不正に開放方向への力が加わっても、作動アームを開放方向へ揺動させてプランジャを引っ込めて開閉片を開放することができない。
【００２５】
一方、ソレノイドがオンした場合には、コイル、或いはプランジャからの電磁力によって磁性体ピン６４は係止部４５ａから離脱する方向へ吸引されるため、ロック部材６１は横軸４６ｃを中心として上方に回動してロックが解除された状態となり、作動アームの開放方向への揺動が可能となる。
なお、上記実施形態では、本発明のロック機構６０を可変入賞装置１２を構成する電チュー１４の不正開放をロックする手段に適用した例を説明したが、本発明に係るロック機構は、ソレノイド式駆動機構を用いて入賞口を開閉する開閉片のロック手段として一般に適用することができる。従って、例えば大入賞装置（アタッカー）１６を開閉する開閉蓋にも適用することができる。
また、本発明の可変入賞装置Ｂは、パチンコ遊技機、その他の遊技球を使用する遊技機一般に適用することができる。
【符号の説明】
【００２６】
Ａ…パチンコ遊技機、Ｂ…可変入賞装置、１…枠、２…ガラス枠、３…遊技盤、３ａ…遊技領域、４…皿部、５…発射レバー、６…演出ボタン、１１…画像表示装置、１２…電動式チューリップユニット（可変入賞装置）、１３…上始動口、１４…電チュー、１５…ゲート、１６…大入賞装置（可変入賞装置）、１７…普通入賞口、１８…アウト口、２１…特別図柄表示器、２２…特別図柄表示器、２３…普通図柄表示器、２４…特別図柄保留ランプ、２５…特別図柄保留ランプ、２６…普通図柄保留ランプ、３０…開閉片、３０ａ…軸部、３０ｂ…被作動部材、３１…開閉機構、３５…取付け部材、３５ａ…軸穴、４０…ソレノイド式駆動機構、４１…ソレノイド、４２…コイル、４３…弾性部材、４４…プランジャ、４５…ベース部材、４５ａ…係止部、４６…作動アーム、４６ａ…軸支部、４６ｂ…凹所、４６ｂ…各凹所、４６ｃ…横軸、４６ｄ…突部、４７…連結部、４７ａ…円板、６０…ロック機構、６１…ロック部材、６２…基部、６３…支持片、６４…磁性体ピン（磁性体部）、６５…ストッパ片
【図１】
2011087860.tif 000003
【図２】
2011087860.tif 000004
【図３】
2011087860.tif 000005
【図４】
2011087860.tif 000006
【図５】
2011087860.tif 000007
【図６】
2011087860.tif 000008
【図７】
2011087860.tif 000009
【図８】
2011087860.tif 000010
【図９】
2011087860.tif 000011
【図１０】
2011087860.tif 000012